(57)【要約】【課題】消火剤の燃焼抑制効果の低下を抑制することが可能な燃焼抑制部材を提供すること。【解決手段】本発明にかかる燃焼抑制部材は、粉末からなる固形消火剤１２と、金属からなり、固形消火剤１２を挟持している一対の板状部材１１と、を備え、一対の板状部材１１に形成された複数の貫通孔１１ａから固形消火剤１２が露出している。【選択図】図１
2019198402.tif 000002
【特許請求の範囲】
【請求項１】
粉末からなる固形消火剤と、
金属からなり、前記固形消火剤を挟持している一対の板状部材と、を備え、
前記一対の板状部材に形成された複数の貫通孔から前記固形消火剤が露出している、
燃焼抑制部材。
【発明の詳細な説明】
【技術分野】
【０００１】
本発明は、燃焼抑制部材に関する。
【背景技術】
【０００２】
火災における消火には、粉末系消火剤、水・泡系消火剤およびガス系消火剤のいずれかが用いられる。特許文献１には、一対の可溶性フィルムのうち、一方の可溶性フィルムに設けられた凹形状の収納部に粉末消火剤が充填され、他方の可溶性フィルムが覆うことによって消火剤が密閉された消火シートが開示されている。
【先行技術文献】
【特許文献】
【０００３】
【特許文献１】特開平１０−２０１８７１号公報
【発明の概要】
【発明が解決しようとする課題】
【０００４】
粉末消火剤は、単体では成形が困難であることが知られている。しかしながら、消火剤をフィルムで覆うと、フィルムがあることによって、消火剤の燃焼抑制効果が下がってしまうという問題があった。
【０００５】
本発明は、上記の問題を鑑みてなされたものであり、消火剤の燃焼抑制効果の低下を抑制することが可能な燃焼抑制部材を提供するものである。
【課題を解決するための手段】
【０００６】
本発明にかかる燃焼抑制部材は、粉末からなる固形消火剤と、金属からなり、前記固形消火剤を挟持している一対の板状部材と、を備え、前記一対の板状部材に形成された複数の貫通孔から前記固形消火剤が露出している。
【０００７】
本発明にかかる燃焼抑制部材では、一対の板状部材に形成された複数の貫通孔から、固形消火剤が露出している。よって、消火剤の燃焼抑制効果の低下を抑制することができる。
【発明の効果】
【０００８】
本発明により、燃焼抑制効果の低下を抑制することができる。
【図面の簡単な説明】
【０００９】
【図１】実施の形態にかかる燃焼抑制部材の概略斜視図である。
【図２】図１のＩＩ―ＩＩ線に沿う側面断面図である。
【図３】実施例にかかる板状部材の写真である。
【発明を実施するための形態】
【００１０】
以下、図面を参照して本発明の実施の形態について説明する。
なお、当然のことながら、図１〜図３に示した右手系ｘｙｚ座標は、構成要素の位置関係を説明するための便宜的なものである。通常、ｚ軸プラス向きが鉛直上向き、ｘｙ平面が水平面であり、図面間で共通である。
【００１１】
＜実施の形態＞
図１は、実施の形態にかかる燃焼抑制部材の概略斜視図である。図１に示すように、燃焼抑制部材１は、一対の板状部材１１及び消火剤１２を備える。一対の板状部材１１は、後述する消火剤１２を挟持する。一例として、一対の板状部材１１は、消火剤１２を挟みこみ、四隅に設けられたねじ等（不図示）を締めることによって消火剤１２を挟持することができる。
図１に示すように、板状部材１１は、例えば板状の金属からなるパンチングメタルである。より具体的には、板状部材１１は、例えば、鋼、ステンレス鋼、アルミ、チタン及びそれらの合金等からなる。
【００１２】
板状部材１１は矩形状であり、ｚ軸方向に貫通する複数の貫通孔１１ａを有する。なお、図１に示す貫通孔１１ａは二点鎖線を用いて便宜上省略し、各貫通孔１１ａに対応する符号は便宜上省略している。図１に示す板状部材１１は、一例として正方形の形状を示したが、矩形状であればよく、例えば長方形などであってもよい。なお、板状部材１１の形状としては、矩形状以外に、所望の取付部位の形状に対応するよう適宜加工することも可能である。
【００１３】
図１に示すように、本実施の形態における貫通孔１１ａの配列は、一般に「６０°千鳥」と呼ばれる配列である。「６０°千鳥」とは、正三角形の各頂点に丸孔を有する基本パターンが繰り返し形成された孔の配列のことである。正三角形は３つの角の角度がそれぞれ６０°であり、正三角形の各頂点と、丸孔の中心とが一致するように、貫通孔１１ａが形成される。
【００１４】
上記の６０°千鳥の配列は、あくまで貫通孔１１ａの一例であり、後述する消火剤１２が漏れ出ない程度の形状の孔が板状部材１１に形成されていればよい。具体的には、貫通孔１１ａの形状として、例えば、「４５°千鳥」、「丸孔並列」、「角千鳥」、「角孔並列」、「長角並列」、「長孔千鳥」、「亀甲」、「十文字」及び「丸十文字」のいずれであってもよい。
以下、各孔の詳細を説明する。
【００１５】
「４５°千鳥」とは、二等辺三角形の各頂点に丸孔を有する基本パターンが繰り返し形成された孔の配列のことである。二等辺三角形は３つの角のうち２つの角の角度がそれぞれ４５°であり、二等辺三角形の各頂点と、丸孔の中心とが一致するように、貫通孔１１ａが形成される。
「丸孔並列」とは、正方形の各頂点に丸孔が形成され、等間隔に配列された孔の配列である。
「角千鳥」とは、矩形状の孔が交互に繰り返し配列された孔の配列である。
「角孔並列」とは、矩形状の孔が網目状に配列された孔の配列である。
「長角並列」とは、長方形の孔が網目状に配列された孔の配列である。
「長孔千鳥」とは、細長い丸孔、換言すると長方形の四隅が円形状に形成された丸孔が、交互に繰り返し配列された孔の配列である。
「亀甲」とは、六角形の孔が交互に配列された孔の配列であり、換言すると、ハニカム構造のことである。
「丸十文字」とは、丸形状およびプラス形状の孔が、交互に繰り返し配列された孔の配列である。
【００１６】
図１に示すように、消火剤１２は、一対の板状部材１１によって狭持されている。図１に示すように、消火剤１２は矩形状である。図１に示すように、消火剤１２は一対の板状部材１１に形成された複数の貫通孔１１ａから露出した状態である。
【００１７】
本実施の形態に用いる消火剤１２は、粉末系消火剤である。本実施の形態における消火剤１２は、粉末を固形にしたものである。消火剤１２としては、例えば、炭酸水素カリウムを主成分とするもの、炭酸水素ナトリウムを主成分とするもの及び第一リン酸アンモニウムを主成分とするものを用いることができる。炭酸水素カリウム及び炭酸水素ナトリウムは、一般にＢ火災と呼ばれる石油や油脂類等が燃える火災およびＣ火災と呼ばれる電気設備等の火災における燃焼を抑制することができる。第一リン酸アンモニウムは、一般にＡ火災と呼ばれる木材、紙および繊維等が燃える火災と、上記Ｂ火災と、Ｃ火災とを抑制することができる。
【００１８】
ここで、一例として、炭酸水素カリウムを主成分とした消火剤１２を用いた場合の、消火メカニズムの概略について説明する。燃焼反応では、火炎の中に水素ラジカル、酸素ラジカル及びヒドロキシルラジカルが発生し、連鎖反応が起こることによって、燃焼が加速される。燃焼中の火炎の中において、燃焼抑制部材１の消火剤１２に含まれる炭酸水素カリウムが熱分解され、エアロゾル状のカリウムラジカルが発生する。火炎の中で発生した水素ラジカル、酸素ラジカル及びヒドロキシルラジカルと、消火剤１２から発生したカリウムラジカルとが結合することによって、火炎の中の水素ラジカル、酸素ラジカル及びヒドロキシルラジカルを減少させることができる。したがって、カリウムラジカルが負の触媒として作用し、火炎の連鎖反応を遮断できるため、燃焼を抑制することができる。
【００１９】
以下、本実施の形態にかかる燃焼抑制部材を配設し、火災による燃焼を抑制することができる具体例について説明する。
【００２０】
また、本実施の形態にかかる燃焼抑制部材は、例えば、車両などに搭載されている電池パックの内部や、工場などに敷設されているダクトの継ぎ目部分に配設することができる。換言すると、Ｃ火災やＢ火災が生じた際に、当該火災による燃焼を抑制することができる。
【００２１】
図２は、図１のＩＩ―ＩＩ線に沿う側面断面図である。
図２に示すように、消火剤１２は、板状部材１１によって挟持されている。また、上述の通り、消火剤１２の一部は、板状部材１１に形成された複数の貫通孔１１ａから露出した状態である。
【００２２】
従来は、消火剤をフィルムで覆った場合、フィルムがあることによって、消火剤の燃焼抑制効果が下がってしまうという問題があった。
【００２３】
これに対し、本実施の形態にかかる燃焼抑制部材では、消火剤は複数の貫通孔を有する板状部材によって挟持されている。つまり、消火剤は貫通孔から露出しているため、消火剤は火炎に直接作用することができ、消火剤の燃焼抑制効果の低下を抑制することができる。さらに、本実施の形態にかかる燃焼抑制部材は板状であるため、前述の通り、電池パックの内部などの非常に狭い空間であったとしも、配設することが可能である。さらに、本実施の形態にかかる燃焼抑制部材は、板状であり、所望の形状に加工することが可能なため、工場に敷設されたダクトなどに巻き付けることも可能である。すなわち、本実施の形態にかかる燃焼抑制部材は、所望の領域に応じて配設することができる。したがって、本実施の形態にかかる燃焼抑制部材は、設置自由度が高い。
【実施例】
【００２４】
次に、本発明の実施例について説明する。
図３は、実施例にかかる板状部材１１の写真である。実施例にて用いた一対の板状部材１１は、一辺が５０ｍｍの正方形であり、ｚ軸方向の厚さが０．５ｍｍであった。また、貫通孔１１ａの配列が、６０°千鳥のものを使用した。消火剤１２は、一辺が５０ｍｍの正方形であり、ｚ軸方向の厚さが２ｍｍであった。本実施例では、一対の板状部材１１によって消火剤１２を挟み、板状部材１１の四隅に設けられたねじ１１ｂを締め、燃焼抑制部材１を作製した。換言すると、消火剤１２は一対の板状部材１１によって挟持された。
上記構成を備える燃焼抑制部材１を用いて、燃焼実験を行ったところ、空間容積９０リットルの範囲の燃焼を抑制することができた。
【００２５】
なお、本発明は上記実施の形態に限られたものではなく、趣旨を逸脱しない範囲で適宜変更することが可能である。
【符号の説明】
【００２６】
１  燃焼抑制部材
１１  板状部材
１１ａ  貫通孔
１１ｂ  ねじ
１２  消火剤
【図１】
2019198402.tif 000003
【図２】
2019198402.tif 000004
【図３】
2019198402.tif 000005